(57)【要約】【課題】  乾燥処理の条件や印画紙の仕様等の相違よって曲げ癖の度合いが異なっても、紙詰まりを発生させることなく印画紙の曲げ癖を矯正することのできる写真処理装置を提供する。【解決手段】  乾燥処理された後に搬送方向が変更された印画紙を圧着搬送する上流側ローラ対と、上流側ローラ対によって搬送されてくる印画紙を圧着搬送して外部に排出する排出ローラ対と、上流側ローラ対と排出ローラ対とに跨る印画紙を湾曲させるデカールローラと、デカールローラと対向するように配設されたガイド手段とを備えた写真処理装置において、デカールローラ及びガイド手段は、上流側ローラ対からの印画紙がデカールローラとガイド手段との間に進入する前に相対的に離間し、該印画紙がデカールローラとガイド手段との間を通過すると相対的に接近してデカールローラが印画紙に当接するように構成されている。【選択図】  図３
2008050086.tif 000002
【特許請求の範囲】
【請求項１】
乾燥処理された後に一方の面側を内側にしてローラに巻き掛けられることによって搬送方向が変更された印画紙を下流側に圧着搬送する上流側ローラ対と、該上流側ローラ対によって搬送されてくる印画紙を圧着搬送して外部に排出する排出ローラ対と、上流側ローラ対と排出ローラ対との間に介設され、上流側ローラ対と排出ローラ対とに跨る印画紙の他方の面に当接して該印画紙を湾曲させるデカールローラと、デカールローラと対向するように配設され、上流側ローラ対から搬送されてくる印画紙の一方の面側を支持して該印画紙を排出ローラ対に受け渡すガイド手段とを備えた写真処理装置において、デカールローラ及びガイド手段は、相対的に接離可能に構成され、上流側ローラ対からの印画紙がデカールローラとガイド手段との間に進入する前に相対的に離間し、該印画紙の少なくとも先端がデカールローラとガイド手段との間を通過すると相対的に接近するように構成されていることを特徴とする写真処理装置。
【請求項２】
前記ガイド手段は、印画紙を上流側ローラ対から排出ローラ対に向けて案内する案内面を備えている請求項１記載の写真処理装置。
【請求項３】
前記デカールローラは、上流側ローラ対と排出ローラ対とに跨る印画紙に所定以上のテンションが作用すると、ガイド手段に対して離間方向に移動するように構成されている請求項１又は２に記載の写真処理装置。
【請求項４】
前記デカールローラが、ガイド手段に対して接離可能に構成されるとともに、印画紙の仕様及び乾燥処理の条件を基に想定される曲げ癖の度合いに応じてガイド手段側への移動量が設定され、処理される印画紙に応じてデカールローラに対する印画紙の巻き掛け量が変更されるように構成されている請求項１乃至３の何れか１項に記載の写真処理装置。
【発明の詳細な説明】
【技術分野】
【０００１】
本発明は、露光・現像処理された印画紙を乾燥処理した上で写真プリントとして出力する写真処理装置に関する。
【背景技術】
【０００２】
従来から、印画紙に画像を形成して写真プリントとして出力する写真処理装置として、種々タイプのものが提供されており、その一つとして、露光・現像処理の施された印画紙を搬送しつつ、該印画紙の乳剤面に対して熱風を吹き付けて乾燥処理を行った後、乳剤面とは反対側の面（一方の面）が内側になるように印画紙をローラに対して巻き掛けて該印画紙の搬送方向を変更した上で、印画紙（写真プリント）を排出できるように構成されたものがある。かかる写真処理装置は、上述のような印画紙の搬送方向の変更を行うことで、写真プリントが排出されたときに画像がオペレータ側（一般的には上向き）になるようにして、印画紙を所定位置にある排出口に導くようになっている。
【０００３】
ところで、上述の如く、乾燥処理後の印画紙をローラに巻き掛けて搬送方向を変更すると、印画紙に曲げ癖がつき、出力する写真プリントの品質を低下させるといった問題がある。そのため、この種の写真処理装置には、写真プリントを出力する直前で曲げ癖を矯正するためのデカール部が設けられている。
【０００４】
かかるデカール部は、搬送方向の変更された印画紙を下流側に圧着搬送する上流側ローラ対と、該上流側ローラ対によって搬送されてくる印画紙を圧着搬送して外部に排出する排出ローラ対と、上流側ローラ対と排出ローラ対との間に介設され、上流側ローラ対と排出ローラ対とに跨る印画紙の他方の面に当接して該印画紙を湾曲させるデカールローラと、デカールローラと対向するように配設され、上流側ローラ対から搬送されてくる印画紙の一方の面側を支持して該印画紙を排出ローラ対に受け渡すガイド手段とを備えている。
【０００５】
上記構成のデカール部は、上流側ローラ対から搬送されてくる印画紙（例えば、先端が自由端となっている印画紙）がデカールローラとガイド手段との間を通過する際に、該印画紙の一方の面側がガイド手段で支持（案内）された状態で該印画紙の先端が排出ローラ対に受け渡され、印画紙が上流側ローラ対と排出ローラ対とに跨った状態で、印画紙がデカールローラに当接して曲げ癖とは反対側に曲げられることで、曲げ癖を矯正するようになっている（例えば、特許文献１参照。）。
【特許文献１】特開２００４−４５７８８号公報
【発明の開示】
【発明が解決しようとする課題】
【０００６】
ところで、上述のような搬送方向の変更に伴う曲げ癖の度合いは、乾燥処理の条件（例えば、乾燥温度、乾燥時間等）や印画紙の仕様（例えば、全体の厚み、乳剤面の厚み、ベース（基材）の厚み、乳剤や基材の種類等）によって大小異なる傾向にある。
【０００７】
そのため、上記構成の写真処理装置では、上流側ローラ対からの印画紙がデカールローラとガイド手段との間に進入する際に、印画紙の曲げ癖の度合いによって、デカールローラ又はガイド手段と干渉する場合がある。すなわち、上流側ローラ対を通過した印画紙が曲げ癖によって大きく湾曲した場合、該印画紙は、デカールローラとガイド手段との間（間隙）に向けての直進性が失われ、デカールローラ又はガイド手段の何れか一方に干渉してしまう結果、印画紙がデカールローラとガイド手段との間に進入できずに紙詰まりが発生してしまう場合があった。
【０００８】
そこで、本発明は、斯かる実情に鑑み、乾燥処理の条件や印画紙の仕様等の相違よって曲げ癖の度合いが異なっても、紙詰まりを発生させることなく印画紙の曲げ癖を矯正することのできる写真処理装置を提供することを課題とする。
【課題を解決するための手段】
【０００９】
本発明に係る写真処理装置は、乾燥処理された後に一方の面側を内側にしてローラに巻き掛けられることによって搬送方向が変更された印画紙を下流側に圧着搬送する上流側ローラ対と、該上流側ローラ対によって搬送されてくる印画紙を圧着搬送して外部に排出する排出ローラ対と、上流側ローラ対と排出ローラ対との間に介設され、上流側ローラ対と排出ローラ対とに跨る印画紙の他方の面に当接して該印画紙を湾曲させるデカールローラと、デカールローラと対向するように配設され、上流側ローラ対から搬送されてくる印画紙の一方の面側を支持して該印画紙を排出ローラ対に受け渡すガイド手段とを備えた写真処理装置において、デカールローラ及びガイド手段は、相対的に接離可能に構成され、上流側ローラ対からの印画紙がデカールローラとガイド手段との間に進入する前に相対的に離間し、該印画紙の少なくとも先端がデカールローラとガイド手段との間を通過すると相対的に接近するように構成されていることを特徴とする。
【００１０】
上記構成の写真処理装置によれば、デカールローラ及びガイド手段が、相対的に接離可能に構成され、上流側ローラ対からの印画紙がデカールローラとガイド手段との間に進入する前に相対的に離間するように構成されているので、印画紙がデカールローラとガイド手段との間に進入する際にデカールローラとガイド手段との間隔が広くなり、印画紙の曲げ癖の大小に関係なく、上流側ローラ対からの印画紙がデカールローラとガイド手段との間に円滑に進入することができる。これにより、デカールローラとガイド手段との間で紙詰まり等が発生することなく、印画紙が上流側ローラ対と排出ローラ対とに跨った状態にすることができる。
【００１１】
そして、該写真処理装置は、印画紙の少なくとも先端がデカールローラとガイド手段との間を通過するとデカールローラ及びガイド手段が相対的に接近するように構成されているので、上述の如く、デカールローラとガイド手段とに跨る印画紙にデカールローラを当接させることができる。これにより、印画紙を曲げ癖とは反対側に湾曲させることができ、印画紙の曲げ癖を矯正することができる。この場合、デカールローラは、瞬時にガイド手段に接近するよりも、徐々にガイド手段に接近することが好ましい。このようにすれば、デカールローラが印画紙に当接する際に衝撃や摩擦等が作用しにくく、印画紙にダメージを与えることなく曲げ癖を矯正することができる。
【００１２】
そして、本発明の一態様として、前記ガイド手段は、印画紙を上流側ローラ対から排出ローラ対に向けて案内する案内面を備えていることが好ましい。このようにすれば、案内面が印画紙の一方の面を支持しつつ案内することになり、印画紙を確実に排出ローラ対に導くことができる。
【００１３】
本発明の他態様として、前記デカールローラは、上流側ローラ対と排出ローラ対とに跨る印画紙に所定以上のテンションが作用すると、ガイド手段に対して離間方向に移動するように構成されていることが好ましい。このようにすれば、例えば、排出ローラ対の増速等によって印画紙にテンションが作用した際にデカールローラがガイド手段側から離間することになるので、デカールローラと印画紙との接触力が増大するのを抑えることができる。これにより、デカールローラとの接触で印画紙にダメージを与えてしまうことを防止することができる。
【００１４】
本発明の別の態様として、前記デカールローラが、ガイド手段に対して接離可能に構成されるとともに、印画紙の仕様及び乾燥処理の条件を基に想定される曲げ癖の度合いに応じてガイド手段側への移動量が設定され、処理される印画紙に応じてデカールローラに対する印画紙の巻き掛け量が変更されるように構成されてもよい。ローラに巻き掛けることによる曲げ癖の度合いは、乾燥処理の条件（乾燥温度、乾燥時間等）と印画紙の仕様（全体の厚み、乳剤面の厚み、基材の厚み、材質等）との関係によって大小異なるため、印画紙の仕様及び乾燥処理の条件を基に想定される曲げ癖の度合いに応じてガイド手段側への移動量を設定し、処理される印画紙に応じてデカールローラに対する印画紙の巻き掛け量を変更するようにすることで、曲げ癖の度合いに応じて適正な矯正を行うことができる。
【発明の効果】
【００１５】
以上のように、本発明の写真処理装置によれば、乾燥処理の条件や印画紙の仕様等の相違よって曲げ癖の度合いが異なっても、紙詰まりを発生させることなく印画紙の曲げ癖を矯正することのできるという優れた効果を奏し得る。
【発明を実施するための最良の形態】
【００１６】
以下、本発明の一実施形態にかかる写真処理装置について、添付図面を参酌しつつ説明する。
【００１７】
本実施形態にかかる写真処理装置は、図１及び図２に示す如く、該写真処理装置の操作を行う操作部１と、印画紙Ｐに露光処理を施す露光処理部２と、露光処理部２で露光処理された印画紙Ｐに現像処理を施す現像処理部３と、現像処理部３で現像処理された印画紙Ｐに乾燥処理を施す乾燥処理部４と、乾燥処理部４から搬送されてくる印画紙Ｐの搬送方向を切り換える方向変換部５と、方向変換に伴って印画紙Ｐについた曲げ癖を矯正するためのデカール部６，７と、デカール部６，７で曲げ癖の矯正された印画紙Ｐを回収する回収部８と備えている。
【００１８】
前記操作部１は、各処理の処理状況や操作案内等を表示するモニター１０と、該モニター１０の表示に基づいて入力操作を行う入力装置１１と、ＣＤ−ＲＯＭやメモリーカード等のメディアＭや、撮影済みの写真フィルムＦから画像をデータとして読み込む読込装置１２と、各種データの処理を行うとともに該写真処理装置の動作を制御する演算処理装置（以下、ＣＰＵという）１３とを備えている。
【００１９】
前記露光処理部２は、図２に示す如く、ロール状にされた長尺な印画紙Ｐを収納するマガジン２０，２０と、該マガジン２０，２０から引き出された印画紙Ｐを枚葉状に切断する切断装置２１と、枚葉状になった印画紙Ｐを露光処理する露光ヘッド２２と、各装置間で印画紙Ｐを搬送する搬送系２３とを備えている。
【００２０】
前記マガジン２０，２０は、乳剤面を外側に位置させるように長尺な印画紙Ｐがロール状に巻回されたロールを軸線周りに回転可能に収納でき、且つ収容したロールから印画紙Ｐを長手方向に引き出せるようになっている。本実施形態に係る露光処理部２は、マガジン２０，２０が二つ設けられており、各マガジン２０，２０には、同一幅の印画紙Ｐを巻回したロールや、異なる幅の印画紙Ｐを巻回したロールが収納される。そして、各マガジン２０，２０は、収納した印画紙Ｐの情報（印画紙Ｐの仕様等）を把握するための情報把握手段（図示しない。）が設けられており、露光処理部２内にセットされたときに、収容されている印画紙Ｐの情報が操作部１（ＣＰＵ１３）に伝達されるようになっている。
【００２１】
前記切断装置２１は、マガジン２０，２０から引き出された印画紙Ｐを切断すべく、互いに接離する一対のカッター２１０，２１０を備えている。該一対のカッター２１０，２１０は、印画紙Ｐの幅を考慮して該印画紙Ｐを所定長さに切断し、所望するプリントサイズの印画紙Ｐを作成し得るように構成されている
【００２２】
前記露光ヘッド２２は、ハロゲンランプ等からなる光源２２０と、該光源２２０に光ファイバー束２２１を介して接続された光シャッター２２２とで構成されている。
【００２３】
前記光シャッター２２２は、印画紙Ｐの搬送方向と直交したライン状をなし、搬送中の印画紙Ｐの乳剤面と対向するように設けられている。光シャッター２２２は、チタン酸ジルコン酸鉛にランタンを添加することにより得られる透光性電圧セラミックス、いわゆるＰＬＺＴで構成されており、該ＰＬＺＴは、所定レベルの電圧が印加されると光を透過させ得る状態となる一方、電圧の印加が停止されると光を遮断する性質を有している。すなわち、光シャッター２２２は、読み込まれた画像のデータに基づいて、操作部１のＣＰＵ１３から電圧の印加、及び印加の停止が指示されることにより、光源２２０からの光の透過及び遮断が制御され、印画紙ＰにＲＧＢ各色の光を照射して露光するように構成されている
【００２４】
前記現像処理部３は、現像処理液が入れられる複数の現像処理槽３０…と、各現像処理槽３０…内で印画紙Ｐを搬送する現像処理搬送系３１とを備えている。前記現像処理槽３０…は、横並びに配置されており、現像処理搬送系３１は、各現像処理槽３０…の現像処理液への浸漬と現像処理液からの引き上げとを繰り返しつつ印画紙Ｐを搬送できるように、連続したＳ字状の搬送経路を構成している。
【００２５】
前記乾燥処理部４は、現像処理部３から搬送されてくる印画紙Ｐを下流側（方向変換部５）に向けて搬送する乾燥処理搬送系４０と、該乾燥処理搬送系４０によって搬送される印画紙Ｐの乳剤面に熱風を吹き付ける乾燥装置４１とを備えている。
【００２６】
前記乾燥処理搬送系４０は、印画紙Ｐを圧着搬送する複数のローラ対（採番しない）で構成されている。該乾燥処理搬送系４０は、複数のローラ対が間隔をおいて配設されることで、現像処理部３から略水平方向に搬送されてくる印画紙Ｐの搬送方向が一旦下方に向くように変更された後に垂直方向上方に向く搬送経路を形成している。
【００２７】
前記乾燥装置４１は、乾燥処理搬送系４０によって搬送される印画紙Ｐの乳剤面と対向するように配置されるダクト４１０と、該ダクト４１０に対して流体的に接続された熱風発生装置４１１とを備えている。そして、前記ダクト４１０には、熱風発生装置４１１の発生した熱風を印画紙Ｐに向けて吹き付けるための複数のノズル（採番しない）が、乾燥処理搬送系４０のローラ間に介在するように設けられている。これにより、乾燥処理搬送系４０で搬送される印画紙Ｐの乳剤面に熱風を吹き付けて、現像処理部３で付着した現像処理液（水分）を乾燥させるようになっている。
【００２８】
前記方向変換部５は、図３に示す如く、印画紙Ｐが巻き掛けられるローラ（以下、ターンローラという）５０と、乾燥処理部４から搬送されてくる印画紙Ｐをターンローラ５０の外周に沿うように案内する方向変換ガイド５１と、ターンローラ５０とともに印画紙Ｐを圧着搬送する圧着ローラ５２ａ，５２ｂとを備えている。
【００２９】
前記ターンローラ５０は、乾燥処理搬送系４０のローラと平行になるように、該乾燥処理搬送系４０の最下流のローラ対（印画紙Ｐの乳剤面とは反対側の面（一方の面）と対向するローラ）の下流側に設けられ、乾燥処理搬送系４０によって垂直方向上方に向けて搬送されてきた印画紙Ｐの一方の面が対向するように配置されている。
【００３０】
前記方向変換ガイド５１は、ターンローラ５０に対して間隔をおいて対向配置されており、該ターンローラ５０の外周に略沿った円弧面からなる案内面が形成されている。これにより、方向変換部５は、乾燥処理部４から搬送されてきた印画紙Ｐの先端、或いは乳剤面側（他方の面）が方向変換ガイド５１（案内面）に案内され、該印画紙Ｐが一方の面を内側（ターンローラ５０側）にしてターンローラ５０に巻き掛けられるようになっている。
【００３１】
前記圧着ローラ５２ａ，５２ｂは、方向変換ガイド５１を介在させた状態で、ターンローラ５０周りに二つ設けられており、それぞれがターンローラ５０と略平行をなすように配設されている。これにより、上流側の圧着ローラ５２ａは、乾燥処理部４から搬送されてきた印画紙Ｐをターンローラ５０とともに圧着搬送し、該印画紙Ｐをターンローラ５０と方向変換ガイド５１との間に送り込み、下流側の圧着ローラ５２ｂは、方向変換ガイド５１によって案内されてターンローラ５０の外周に沿った印画紙Ｐをターンローラ５０とともに圧着搬送するようになっている。これにより、該方向変換部５は、印画紙Ｐの搬送方向を変更した上で当該印画紙Ｐを下流側に送り出すようになっている。
【００３２】
本実施形態に係る写真処理装置は、出力としての写真プリント（印画紙Ｐ）を排出する排出口Ｄ１，Ｄ２が上下二カ所に設けられている。そのため、本実施形態に係る写真処理装置は、方向変換部５と排出口Ｄ１，Ｄ２とを結ぶ搬送経路Ｒ１，Ｒ２が二系統形成されており、各搬送経路Ｒ１，Ｒ２上に前記デカール部６，７が設けられるとともに、印画紙Ｐの搬送する搬送経路Ｄ１，Ｄ２を何れか一方に切り換えるための切換機構９が設けられている。なお、以下の説明において、上側の排出口Ｄ１を第一排出口といい、下側の排出口Ｄ２を第二排出口という。また、第一排出口Ｄ１に繋がる搬送経路Ｒ１を第一搬送経路といい、第二排出口Ｄ２に繋がる搬送経路Ｒ２を第二搬送経路ということとする。
【００３３】
各デカール部６，７は、何れも、方向転換部５で搬送方向の変更された印画紙Ｐを下流側に圧着搬送する上流側ローラ対６０，７０と、該上流側ローラ対６０，７０によって搬送されてくる印画紙Ｐを圧着搬送して外部に排出する排出ローラ対６１，７１と、上流側ローラ対６０，７０と排出ローラ対６１，７１との間に介設され、上流側ローラ対６０，７０と排出ローラ対６１，７１とに跨る印画紙Ｐの他方の面に当接して該印画紙Ｐを湾曲させるデカールローラ６２，７２と、デカールローラ６２，７２と対向するように配設され、上流側ローラ対６０，７０から搬送されてくる印画紙Ｐの一方の面側を支持して該印画紙Ｐを排出ローラ対６１，７１に受け渡すガイド手段６３，７３とを備えている。なお、以下の説明において、第一搬送経路Ｒ１上の構成については、名称に「第一」を付し、第二搬送経路Ｒ２上の構成については、名称に「第二」を付すこととする。
【００３４】
まず、第一デカール部６について説明すると、本実施形態において、第一上流側ローラ対６０は、方向変換部５のターンローラ５０（６０ａ）及び下流側の圧着ローラ５２ｂ（６０ｂ）が兼用されている。
【００３５】
第一排出ローラ対６１は、軸芯が上流側のローラ５０，５２ｂ，６２と略平行をなすように、各ローラ６１ａ，６１ｂが上下方向で隣接して配置されており、本実施形態において、下側のローラ６１ｂには、弾性を有する帯状をなす複数の突片が軸回りで放射状に突設されている。
【００３６】
上記構成の第一排出ローラ対６１は、第一上流側ローラ対６０による印画紙Ｐの搬送方向と略同方向で印画紙Ｐを搬送（排出）できるように、ローラ６１ａ，６１ｂが上下に配設されている。そして、該第一排出ローラ対６１は、第一上流側ローラ対６０の回転速度に比して高速で回転するように構成されており、第一上流側ローラ対６０と第一排出ローラ対６１とに跨った印画紙Ｐにテンションを作用させるようになっている。
【００３７】
前記第一デカールローラ６２は、図４及び図５に示す如く、上流側ローラ対６０及び第一排出ローラ対６１の軸心と略平行な軸心周りで回転自在なフリーローラで構成されており、外周の一部が第一上流側ローラ対６０の他方のローラ６０ｂ（圧着ローラ５２ｂ）と第一排出ローラ対６１の上側のローラ６１ａとの共通接線Ｌ１よりも、第一ガイド手段６３側に入り込んだデカール位置Ａ１，Ａ２…と、前記共通接線Ｌ１よりも第一ガイド手段６３から離間した待避位置Ｂとに位置変更できるように構成されている。すなわち、第一デカールローラ６２の待避位置Ｂは、第一上流側ローラ対６０による印画紙Ｐの搬送方向、及び該ローラ対６０を通過する印画紙Ｐの湾曲の度合いを考慮した上で、第一デカールローラ６２と第一ガイド手段６３との間が第一上流側ローラ対６０を通過した印画紙Ｐの通過を許容できる間隔となる位置に設定されている。
【００３８】
より具体的に説明すると、第一デカール部６は、図４に示す如く、第一デカールローラ６２をデカール位置Ａ１，Ａ２…と待避位置Ｂとに位置変更させる第一位置変更手段６４を備えている。第一位置変更手段６４は、第一デカールローラ６２の軸心と略平行な固定軸心周りで回転自在に設けられ、第一デカールローラ６２の両端部を軸支した第一回転アーム６５と、第一回転アーム６５を一方向に回転させるように付勢する第一付勢手段６６と、該第一付勢手段６６の付勢力の作用で第一回転アーム６５が当接した状態で回転する第一カム体６７とを備えている。
【００３９】
前記第一回転アーム６５は、第一デカールローラ６２を介在させるように間隔をおいて配設された一対の第一アーム部６５０，６５０と、該第一アーム部６５０，６５０同士を連結するとともに、第一カム体６７を当接させる第一連結部６５１とを備えている。前記一対の第一アーム部６５０，６５０のそれぞれは、基端部が前記固定軸に枢着されており、第一デカールローラ６２の両端部から凸出する軸部６５２（第一デカールローラ６２に対して回転自在に挿通された軸体の端部）を挿入する軸穴６５３が先端部に形成されている。本実施形態において、各第一アーム部６５０，６５０の軸穴６５３が第一アーム部６５０，６５０の回転方向（実際には回転軌跡に対する折線方向）に延びる長穴に形成されており、第一デカールローラ６２が軸穴６５３に沿って移動できるように構成されている。
【００４０】
これに伴い、第一回転アーム６５には、第一デカールローラ６２の前記軸部６５２を、軸穴６５３の長手方向の一端側（第一ガイド手段６３側に位置する端部）に向けて付勢する第一軸付勢手段６５４が設けられている。該第一軸付勢手段６５４としては、コイルバネや板バネ等を採用することができ、本実施形態においては板バネが採用されている。該第一軸付勢手段６５４は、弾性に富む金属プレートを屈曲させたもので、一端側が第一連結部６５１に固定され、該一端側に対して傾斜した他端側で第一デカールローラ６２の軸部６５２を付勢するようにしている。これにより、第一軸付勢手段６５４の付勢力よりも大きな力が第一デカールローラ６２に作用した際に、該第一デカールローラ６２が軸穴６５３に沿って移動するようになっている。
【００４１】
前記第一付勢手段６６には、引っ張りコイルバネが採用されており、該一端が第一回転アーム６５に連結され、該第一回転アーム６５を第一ガイド手段６３から離間させる付勢力を作用させるように他端側が所定位置（本実施形態においては、第一カム体６７を軸支する軸受部）に固定されている。
【００４２】
前記第一カム体６７は、第一回転アーム６５の固定軸と略平行な回転軸周りで回転可能に構成されている。そして、第一カム体６７は、回転軸を中心とする外周（第一連結部６５１に当接する外周）の曲率半径の相違により、回転することで、第一付勢手段６６の付勢力に抗して第一回転アーム６５を付勢して第一デカールローラ６２をデカール位置Ａ１，Ａ２…に位置させる状態と、第一付勢手段６６の付勢力によって第一回転アーム６５が第一ガイド手段６３から離間して、第一デカールローラ６２を待避位置Ｂに位置させる状態とに切り換えるようになっている。
【００４３】
本実施形態に係る第一カム体６７は、モータ（図示しない）の駆動を受けて所定のタイミング（印画紙の先端が第一デカールローラ６２と第一ガイド手段６３との間に到達する前、印画紙の先端が第一デカールローラ６２と第一ガイド手段６３との間に通過した後、）で回転するように構成されている。
【００４４】
これにより、本実施形態に係る写真処理装置は、方向変換部５から搬送されてくる印画紙Ｐの先端が、第一デカールローラ６２と第一ガイド手段６３との間に到達する前に、第一デカールローラ６２を待避位置Ｂに位置変更させ、該印画紙Ｐの先端が第一デカールローラ６２と第一ガイド手段６３との間を通過すると、第一デカールローラ６２をデカール位置Ａ１，Ａ２…に位置変更させるようになっている。すなわち、該写真処理装置は、印画紙Ｐが第一デカールローラ６２と第一ガイド手段６３との間に進入するときに、第一デカールローラ６２が第一ガイド手段６３から離間してこれらの間隔が広がった状態となる一方で、印画紙Ｐの先端が第一デカールローラ６２と第一ガイド手段６３との間を通過した後に、第一デカールローラ６２が第一ガイド手段６３に接近して該第一デカールローラ６２が印画紙Ｐに当接した状態になるようになっている。
【００４５】
そして、本実施形態においては、図５に示す如く、印画紙Ｐの仕様及び乾燥処理の条件を基に想定される曲げ癖の度合いに応じて第一デカールローラ６２の第一ガイド手段６３側への移動量が設定され、処理の対象となる印画紙Ｐに応じて第一デカールローラ６２に対する印画紙Ｐの巻き掛け量（第一デカールローラ６２に対して印画紙Ｐが接触する量）を変更するようになっている。すなわち、印画紙Ｐの曲げ癖の度合いが印画紙Ｐに対する乾燥処理の条件（乾燥温度や乾燥時間）と印画紙Ｐの仕様（印画紙Ｐの全体の厚みや、乳剤面（層）の厚み、基材の厚み、乳剤の種類等）との関係で大小異なることに着目し、本実施形態に係る写真処理装置は、印画紙Ｐの仕様と乾燥処理の条件との関係から経験上得られる（想定される）曲げ癖の度合い毎に、その曲げ癖を矯正するのに適正な第一デカールローラ６２のデカール位置Ａ１，Ａ２…が設定されており、マガジン２０，２０の情報把握手段から得られる印画紙Ｐの情報を基に、第一デカールローラ６２を印画紙Ｐの仕様に対応するデカール位置Ａ１，Ａ２…に位置変更させるようになっている。これにより、第一デカール部６において曲げ癖の度合いに応じた矯正を行えるようになっている。
【００４６】
図４に戻り、本実施形態に係る第一ガイド手段６３は、第一デカールローラ６２と略平行な軸心周りで回転するフリーローラで構成されており、最大の曲げ癖に対応したデカール位置Ａ１にある第一デカールローラ６２と印画紙Ｐを圧着するようになっている。すなわち、該第一ガイド手段６３は、第一デカールローラ６２のデカール位置Ａ１，Ａ２…への位置変更を許容することを前提に、第一上流側搬送ローラ対によって搬送されてきた印画紙Ｐが第一排出ローラ対６１に乗り移るまでの間、該印画紙Ｐの一方の面を支持できるように配置されている。
【００４７】
本実施形態において、上述の如く、第一ガイド手段６３としてフリーローラが採用されているため、第一デカール部６は、第一上流側ローラ対６０の下方側のローラ６０ａ（ターンローラ５０）と第一ガイド手段６３（フリーローラ）との間、及び、第一ガイド手段６３（フリーローラ）と第一排出ローラ対６１の下方側のローラ６１ｂとの間に、印画紙Ｐを案内するガイドプレート９１，９５が設けられている。本実施形態において、第一上流側ローラ対６０の一方のローラ６０ａ（ターンローラ５０）と第一ガイド手段６３（フリーローラ）との間に設けられたガイドプレート９１は、印画紙Ｐの搬送する搬送経路を第一搬送経路Ｒ１と第二搬送経路Ｒ２とに切り換えるための切換機構９の一構成として機能するようになっている。
【００４８】
具体的には、切換機構９は、所定の支点周りで回転することで姿勢変更し、方向変換部５から搬送されてきた印画紙Ｐを第一搬送経路Ｒ１に案内する第一状態Ｘと、方向変換部５から搬送されてきた印画紙Ｐを第二搬送経路Ｒ２に案内する第二状態Ｙとに切り替わる案内体９０を備えている。かかる案内体９０は、略水平方向で搬送されてくる印画紙Ｐの一方の面を案内する第一搬送経路案内面９１ａが上面に形成された略平板状の第一ガイドプレート９１と、該ガイドプレート９１の下面に垂設され、ターンローラ５０と対向する面で略水平方向で搬送されてくる印画紙Ｐを下方側に案内する第二搬送経路案内面９２ａの形成された第二ガイドプレート９２とを備えている。
【００４９】
かかる案内体９０は、第一状態Ｘで第一ガイドプレート９１がターンローラ５０と第一ガイド手段６３との間に介在（第一ガイド手段６３の上流側に位置）し、第一上流側ローラ対６０によって搬送される印画紙Ｐの一方の面を第一搬送経路案内面９１ａで案内して第一搬送経路Ｒ１に導くようになっている。そして、該案内体９０は、第二状態Ｙで第二ガイドプレート９２が第一上流側ローラ対６０と第一ガイド手段６３との間に突出し、第一上流側ローラ対６０によって搬送される印画紙Ｐが第二ガイドプレート９２の第二搬送経路案内面９２ａに接触乃至案内され、該印画紙Ｐを下方側に延びる第二搬送経路Ｒ２に導くようになっている。
【００５０】
次に、第二デカール部７について説明すると、図６に示す如く、第二上流側ローラ対７０は、方向変換部５及び案内体９０（切換機構９）に対して下流側に設けられ、各ローラ７０ａ，７０ｂが横並びに配設されている。これにより、第二状態Ｙにある案内体９０によって案内されてくる印画紙Ｐを受け取り、該印画紙Ｐを下方に向けて搬送するようになっている。
【００５１】
前記第二排出ローラ対７１は、第二上流側ローラ対７０よりも下方に位置し、各ローラ７１ａ，７１ｂが上下に隣接して配置され、印画紙Ｐを略横方向に搬送（排出）できるようになっている。すなわち、該第二排出ローラ対７１は、第二上流側ローラ対７０による印画紙Ｐの搬送方向とは異なる方向に印画紙Ｐを搬送（排出）するようにローラ７１ａ，７１ｂが配設されている。そして、該第二排出ローラ対７１は、第二上流側ローラ対７０の回転速度に比して高速で回転するように構成されており、第二上流側ローラ対７０と第二排出ローラ対７１とに跨った印画紙Ｐにテンションを作用させるようになっている。
【００５２】
前記第二デカールローラ７２は、上流側ローラ対７０及び第二排出ローラ対７１の軸心と略平行な軸心周りで回転自在なフリーローラで構成されている。該第二デカールローラ７２は、図７に示す如く、軸心が第二上流側ローラ対７０の一方のローラ７０ａと第二排出ローラ対７１の上側のローラ７１ａとの共通接線Ｌ２よりも、第二ガイド手段７３側に入り込んだデカール位置Ａ１’，Ａ２’…と、軸心が略共通接線Ｌ２上に位置し、デカール位置Ａ１’，Ａ２’…よりも第二ガイド手段７３から離間した待避位置Ｂ’とに位置変更できるように構成されている。すなわち、第二デカールローラ７２の待避位置Ｂ’は、第二上流側ローラ対７０による印画紙Ｐの搬送方向、及び該ローラ対７０を通過する印画紙Ｐの湾曲の度合いを考慮した上で、第二デカールローラ７２と第二ガイド手段７３との間が第二上流側ローラ対７０からの印画紙Ｐの通過を許容できる間隔となる位置に設定されている。
【００５３】
より具体的に説明すると、第二デカール部７は、図６に示す如く、第二デカールローラ７２をデカール位置Ａ１’，Ａ２’…と待避位置Ｂ’とに位置変更させる第二位置変更手段７４を備えている。第二位置変更手段７４は、第二デカールローラ７２の軸心と略平行な固定軸心周りで回転自在に設けられ、第二デカールローラ７２の両端部を軸支した第二回転アーム７５と、第二回転アーム７５を一方向に回転させるように付勢する第二付勢手段７６と、該第二付勢手段７６の付勢力の作用で第二回転アーム７５が当接した状態で回転する第二カム体７７とを備えている。
【００５４】
前記第二回転アーム７５は、第二デカールローラ７２を介在させるように間隔をおいて配設された一対の第二アーム部７５０，７５０と、該第二アーム部７５０，７５０同士を連結するとともに、第二カム体７７を当接させる第二連結部７５１とを備えている。前記一対の第二アーム部７５０，７５０のそれぞれは、基端部が前記固定軸に枢着されており、第二デカールローラ７２の両端部から凸出する軸部７５２（第二デカールローラ７２に対して回転自在に挿通された軸体の端部）を挿入する軸穴７５３が先端部に形成されている。本実施形態において、各第二アーム部７５０，７５０の軸穴７５３が第二アーム部７５０，７５０の回転方向（実際には回転軌跡に対する折線方向）に延びる長穴に形成されており、第二デカールローラ７２が軸穴７５３に沿って移動できるように構成されている。
【００５５】
これに伴い、第二回転アーム７５には、第二デカールローラ７２の前記軸部７５２を、軸穴７５３の長手方向の一端側（第二ガイド手段７３側に位置する端部）に向けて付勢する第二軸付勢手段７５４が設けられている。該第二軸付勢手段７５４としては、コイルバネや板バネ等を採用することができ、本実施形態においては第一軸付勢手段６５４と同様に板バネが採用されている。該第二軸付勢手段７５４は、弾性に富む金属プレートを屈曲させたもので、一端側が第二連結部７５１に固定され、該一端側に対して傾斜した他端側で第二デカールローラ７２の軸部７５２を付勢するようにしている。これにより、第二軸付勢手段７５４の付勢力よりも大きな力が第二デカールローラ７２に作用した際に、該第二デカールローラ７２が軸穴７５３に沿って移動するようになっている。
【００５６】
そして、第二付勢手段７６には、引っ張りコイルバネが採用されており、該一端が第二回転アーム７５に連結され、該第二回転アーム７５を第二ガイド手段７３から離間させる付勢力を作用させるように他端側が所定位置（本実施形態においては、第二カム体７７を軸支する軸受部）に固定されている。
【００５７】
前記第二カム体７７は、第二回転アーム７５の固定軸と略平行な回転軸周りで回転可能に構成されている。そして、第二カム体７７は、回転軸を中心とする外周（第二連結部７５１に当接する外周）の曲率半径の相違により、回転することで、第二付勢手段７６の付勢力に抗して第二回転アーム７５を付勢して第二デカールローラ７２をデカール位置Ａ１’，Ａ２’…に位置させる状態と、第二付勢手段７６の付勢力によって第二回転アーム７５が第二ガイド手段７３から離間して、第二デカールローラ７２を待避位置Ｂ’に位置させる状態とに切り換えるようになっている。
【００５８】
本実施形態に係る第二カム体７７は、モータ（図示しない）の駆動を受けて所定のタイミング（印画紙の先端が第二デカールローラ７２と第二ガイド手段７３との間に到達する前、印画紙の先端が第二デカールローラ７２と第二ガイド手段７３との間に通過した後、）で回転するように構成されている。
【００５９】
これにより、本実施形態に係る写真処理装置は、第二上流側ローラ対７０から搬送されてくる印画紙Ｐの先端が、第二デカールローラ７２と第二ガイド手段７３との間に到達する前に、第二デカールローラ７２を待避位置Ｂ’に位置変更させ、該印画紙Ｐの先端が第二デカールローラ７２と第二ガイド手段７３との間を通過すると、第二デカールローラ７２をデカール位置Ａ１’，Ａ２’…に位置変更させるようになっている。すなわち、該写真処理装置は、印画紙Ｐが第二デカールローラ７２と第二ガイド手段７３との間に進入するときに、第二デカールローラ７２が第二ガイド手段７３から離間してこれらの間隔が広がった状態となる一方で、印画紙Ｐの先端が第二デカールローラ７２と第二ガイド手段７３との間を通過した後に、第二デカールローラ７２が第二ガイド手段７３に接近して該第二デカールローラ７２が印画紙Ｐに当接した状態になるようになっている。
【００６０】
そして、本実施形態に係る第二デカール部７は、図７に示す如く、印画紙Ｐの仕様及び乾燥処理の条件を基に想定される曲げ癖の度合いに応じて第二デカールローラ７２の第二ガイド手段７３側への移動量が設定され、処理の対象となる印画紙Ｐに応じて第二デカールローラ７２に対する印画紙Ｐの巻き掛け量（第二デカールローラ７２に対して印画紙Ｐが接触する量）を変更するようになっている。すなわち、印画紙Ｐの曲げ癖の度合いが印画紙Ｐに対する乾燥処理の条件と印画紙Ｐの仕様との関係で大小異なることに着目し、第二デカール部７についても、第一デカール部６と同様に、印画紙Ｐの仕様と乾燥処理の条件との関係から経験上得られる（想定される）曲げ癖の度合い毎に、その曲げ癖を矯正するのに適正な第二デカールローラ７２のデカール位置Ａ１’，Ａ２’…が設定されており、マガジン２０，２０の情報把握手段から得られる印画紙Ｐの情報を基に、第二デカールローラ７２を印画紙Ｐの仕様に対応するデカール位置Ａ１’，Ａ２’…に位置変更させるようになっている。これにより、第二デカール部７において曲げ癖の度合いに応じた矯正を行えるようになっている。
【００６１】
図６に戻り、本実施形態に係る第二ガイド手段７３は、第二上流側ローラ対７０によって搬送されてく印画紙Ｐの一方の面を支持しつつ案内する案内プレートで構成されている。該第二ガイド手段７３は、想定される最大の曲げ癖に対応するデカール位置Ａ１に位置する第二デカールローラ７２に対して所定の間隔を有して対向するように、第二上流側ローラ対７０と第二排出ローラ対７１との間の略全域に至るように設けられている。そして、該第二ガイド手段７３には、第二デカールローラ７２と対向する面に第二上流側ローラ対７０から第二排出ローラ対７１に向けて該デカールローラ６２，７２から離間する側に凹をなした湾曲面からなる案内面が形成されている。すなわち、該第二ガイド手段７３は、第二デカールローラ７２のデカール位置Ａ１’，Ａ２’…への位置変更を許容することを前提に、第二上流側ローラ対７０によって搬送されてきた印画紙Ｐが第二排出ローラ対７１に乗り移るまでの間、該印画紙Ｐの一方の面を支持しつつ案内できるように構成されている。
【００６２】
図１に戻り、前記回収部８は、第一排出口Ｄ１から排出された印画紙Ｐをオーダー毎に仕分けて回収する仕分回収部８０と、第二排出口Ｄ２から排出された印画紙Ｐを写真プリントとして回収するトレー８１とを備えている。
【００６３】
前記仕分回収部８０は、第一排出口Ｄ１からの印画紙Ｐの排出方向に対して直交方向に移動するコンベア８２と、該コンベア８２によって運ばれてくる印画紙Ｐをオーダー毎に仕分ける仕分装置８３とで構成されている
【００６４】
前記仕分装置８３は、上下方向に移動可能に配設された複数の受け皿８４…を備えており、該受け皿８４…が上下方向に移動することで、コンベア８２によって搬送されてくる印画紙Ｐを各受け皿８４…へオーダー毎に振り分けた上で回収するようになっている。
【００６５】
本実施形態に係る写真処理装置は、以上の構成からなり、次に該写真処理装置の作動について説明する。
【００６６】
まず、図２に示す如く、露光処理部２で枚葉状の印画紙Ｐに露光処理を行った後、該印画紙Ｐに対して現像処理部３で現像処理が行われる。しかる後、露光・現像処理された印画紙Ｐは、乾燥処理部４で乾燥処理されつつ方向変換部５に向けて搬送される。
【００６７】
そして、方向変換部５に到達した印画紙Ｐは搬送方向が変更されながら下流側に搬送される。かかる印画紙（写真プリント）をオーダー毎に仕分けて出力する場合、図４に示す如く、方向変換部５からの印画紙Ｐが切換機構９に到達する前に案内体９０が第一状態Ｘとなり、方向変換部５から搬送されてくる印画紙Ｐが第一搬送経路Ｒ１に案内されることになる。
【００６８】
この際、第一デカールローラ６２は、該第一デカールローラ６２と第一ガイド手段６３との間に該印画紙Ｐが到達する前に、予め待避位置Ｂに位置変更して第一ガイド手段６３との間隔を拡大した状態で待機している。なお、第一デカールローラ６２の待避位置Ｂへの位置変更は、搬送される印画紙Ｐをセンサで検知し、その検知結果を基に行ってもよいし、印画紙Ｐの搬送速度等の情報を基にタイマ制御によって行うようにしてもよい。
【００６９】
そして、第一上流側ローラ対６０を通過した印画紙Ｐは、一方の面側が第一ガイドプレート９１によって案内されつつ下流側に搬送され、間隔の広がった第一デカールローラ６２と第一ガイド手段６３との間に進入する。この際、印画紙Ｐの先端側が曲げ癖で大きく湾曲したとしても、上述の如く第一デカールローラ６２と第一ガイド手段６３との間隔が広がっているため、印画紙Ｐは何れにも干渉することなくこれらの間への進入が許容されることになる。
【００７０】
そして、印画紙Ｐの先端が第一デカールローラ６２と第一ガイド手段６３との間を通過（第一ガイド手段６３に支持されつつ通過）し、該印画紙Ｐの先端が第一排出ローラに圧着されると、第一デカールローラ６２がデカール位置Ａ１，Ａ２…に位置変更する。このとき、本実施形態に係る第一デカールローラ６２は、印画紙Ｐの仕様及び乾燥処理の条件に対応する曲げ癖の度合いに応じたデカール位置Ａ１，Ａ２…に位置変更することになる。
【００７１】
そうすると、第一上流側搬送ローラと第一排出ローラとに跨った印画紙Ｐには、第一上流側ローラ対６０と第一搬送ローラ対との搬送速度差によってテンションが作用しているため、印画紙Ｐが曲げ癖とは反対側に湾曲するように第一デカールローラ６２に対して当接した状態（巻き掛けられた状態）となる。これにより、印画紙Ｐの曲げ癖が第一デカールローラ６２に対する巻き掛けによる曲げ作用と相殺される結果、印画紙Ｐは曲げ癖が矯正さることになる。なお、第一上流側ローラ対６０と第一排出ローラ対６１とに跨る印画紙Ｐに対して、必要以上のテンションが作用した場合には、第一デカールローラ６２が第一回転アーム６５の軸穴６５３に沿って待避位置Ｂ側に移動し、印画紙Ｐに対して必要以上のテンションを作用させながら曲げ作用を生じさせること（印画紙Ｐにダメージを与えてしまうこと）が防止される。
【００７２】
第一デカール部６を通過した印画紙Ｐ（写真プリント）は、曲げ癖が矯正された状態で画像を上向きにして第一排出口Ｄ１からコンベア８２上に排出されることになる。コンベア８２上に排出された印画紙Ｐ（写真プリント）は、該コンベア８２で搬送された後、各受け皿８４…にオーダー毎に振り分けられて回収されることになる（図１及び図２参照）。
【００７３】
他方、写真プリントをトレー８１上に出力する場合、切換機構９の案内体９０が第二状態Ｙとなり、方向変換部５からの印画紙Ｐが第二搬送経路Ｒ２に案内されることになる。そうすると、図６に示す如く、かかる印画紙Ｐは、第二上流側ローラ対７０によってさらに下流側に圧着搬送される。この際、第二デカールローラ７２は、第二上流側ローラ対７０を通過した印画紙Ｐの先端が該第二デカールローラ７２と第二ガイド手段７３との間に到達する前に、予め待避位置Ｂ’に予め位置変更して第二ガイド手段７３との間隔を拡大した状態で待機している。かかる第二デカールローラ７２の待避位置Ｂ’への位置変更についても、第一デカールローラ６２の場合と同様に、搬送される印画紙Ｐをセンサで検知し、その検知結果を基に行ってもよいし、印画紙Ｐの搬送速度等の情報を基にタイマ制御によって行うようにしてもよい。
【００７４】
そして、第二上流側ローラ対７０を通過した印画紙Ｐは、一方の面側が第二ガイド手段７３によって案内されつつ下流側に搬送され、間隔の広がった第二デカールローラ７２と第二ガイド手段７３との間に進入する。この際、印画紙Ｐの先端側が曲げ癖で大きく湾曲したとしても、上述の如く第二デカールローラ７２と第二ガイド手段７３との間隔が広がっているため、印画紙Ｐは何れにも干渉することなく進入が許容されることになる。
【００７５】
そして、印画紙Ｐの先端が第二デカールローラ７２と第二ガイド手段７３との間を通過すると、第二デカールローラ７２がデカール位置Ａ１’，Ａ２’…に位置変更する。本実施形態においては、第二デカールローラ７２についても、印画紙Ｐの仕様及び乾燥処理の条件に対応する曲げ癖の度合いに応じたデカール位置Ａ１’，Ａ２’…に位置変更することになる。
【００７６】
そうすると、第二上流側ローラ７０と第二排出ローラ対７１とに跨った印画紙Ｐには、第二上流側ローラ対７０と第二搬送ローラ対との搬送速度差によってテンションが作用しているため、第一デカール部６と同様に、印画紙Ｐが曲げ癖とは反対側に湾曲するように第二デカールローラ７２に対して当接した状態（巻き掛けられた状態）となる。これにより、印画紙Ｐの曲げ癖が第二デカールローラ７２に対する巻き掛けによる曲げ作用と相殺される結果、印画紙Ｐは曲げ癖が矯正さることになる。なお、第二デカール部７についても、第二上流側ローラ対７０と第二排出ローラ対７１とに跨る印画紙Ｐに対して、必要以上のテンションが作用した場合には、第一デカール部６と同様に、第二デカールローラ７２が第二回転アーム７５の軸穴７５３に沿って待避位置Ｂ’側に移動し、印画紙Ｐに対して必要以上のテンションを作用させながら曲げ作用を生じさせること（印画紙Ｐにダメージを与えてしまうこと）が防止される。
【００７７】
そして、第二デカール部７を通過した印画紙Ｐ（写真プリント）は、曲げ癖が矯正された状態で画像を上向きにして第二排出口Ｄ２からトレー８１上に排出されることになる（図１及び図２参照）。
【００７８】
以上のように、本実施形態に係る写真処理装置は、デカールローラ６２，７２がガイド手段６３，７３に対して接離可能に構成され、上流側ローラ対６０，７０からの印画紙Ｐがデカールローラ６２，７２とガイド手段６３，７３との間に進入する前に、デカールローラ６２をガイド手段６３，７３から離間させるように構成したので、印画紙Ｐがデカールローラ６２，７２とガイド手段６３，７３との間に進入する際にデカールローラ６２，７２とガイド手段６３，７３との間隔が広くなり、印画紙Ｐの曲げ癖の大小に関係なく、上流側ローラ対６０，７０からの印画紙Ｐがデカールローラ６２，７２とガイド手段６３，７３との間に円滑に進入することができる。これにより、デカールローラ６２，７２とガイド手段６３，７３との間で紙詰まり等が発生することなく、印画紙Ｐが上流側ローラ対６０，７０と排出ローラ対６１，７１とに跨った状態にすることができる。
【００７９】
そして、該写真処理装置は、印画紙Ｐがデカールローラ６２，７２とガイド手段６３，７３との間を通過するとデカールローラ６２，７２がガイド手段６３，７３に接近させるように構成したので、デカールローラ６２，７２とガイド手段６３，７３とに跨る印画紙Ｐにデカールローラ６２，７２が当接させることができる。これにより、印画紙Ｐを曲げ癖とは反対側に湾曲させることができ、印画紙Ｐの曲げ癖を矯正することができる。
【００８０】
また、印画紙Ｐを上流側ローラ対６０，７０から排出ローラ対６１，７１に向けて案内する案内面を備えように第二ガイド手段７３を構成したので、第一デカール部６のようにガイド手段６３の上流側及び下流側にガイドプレート９１，９５等を設けることなく、印画紙Ｐを確実に第二排出ローラ対７１に導くことができる。
【００８１】
さらに、上流側ローラ対６０，７０と排出ローラ対６１，７１とに跨る印画紙Ｐに所定以上のテンションが作用すると、前記デカールローラ６２，７２がガイド手段６３，７３に対して離間方向に移動するように構成したので、印画紙Ｐに必要以上のテンションが作用した際にデカールローラ６２，７２と印画紙Ｐとの接触力が増大するのを抑えることができ、デカールローラ６２，７２との接触で印画紙Ｐが傷ついてしまうのを防止することができる。
【００８２】
さらに、デカールローラ６２，７２をガイド手段６３，７３に対して接離可能に構成するとともに、印画紙Ｐの仕様及び乾燥処理の条件を基に想定される曲げ癖の度合いに応じてデカールローラ６２，７２のガイド手段６３，７３側への移動量を設定し、処理される印画紙Ｐに応じてデカールローラ６２，７２に対する印画紙Ｐの巻き掛け量を変更するようにしたので、曲げ癖の度合いに応じた矯正を行うことができる。
【００８３】
尚、本発明は、上記実施形態に限定されるものではなく、本発明の要旨を逸脱しない範囲内において種々変更を加え得ることは勿論である。
【００８４】
上記実施形態において、露光処理部２、現像処理部３、及び乾燥処理部４を備えた写真処理装置について説明したが、これに限定されるものではなく、例えば、現像処理部３及び乾燥処理部４を備え、別個の露光処理装置で露光処理された印画紙Ｐに対して現像処理、及び乾燥処理を行う写真処理装置であってもよい。すなわち、乾燥処理後に印画紙Ｐをローラに巻き掛けて印画紙Ｐの搬送方向を変更するように構成されたものであればよい。
【００８５】
上記実施形態において、印画紙Ｐを排出する排出口Ｄ１，Ｄ２を二つ設け、方向変換部５で搬送方向の変更された印画紙Ｐを搬送する搬送経路を二系統としたため、各搬送経路にデカール部６，７を設けたが、これに限定されるものではなく、例えば、写真プリントを排出する排出口を一つ設け、方向変換部５と排出口とを結ぶ搬送経路を一系統とし、該搬送経路上にデカール部を設けるようにしてもよい。すなわち、デカール部は、排出口に繋がる搬送経路に設けるようにすればよい。
【００８６】
上記実施形態において、第一デカール部６の第一ガイド手段６３をフリーローラで構成したが、これに限定されるものではく、例えば、第二デカール部７と同様に、第一上流側ローラ対６０と第一排出ローラ対６１との間の略全域に配置されるガイドプレートで第一ガイド手段６３を構成するようにしてもよい。また、第二デカール部７についても、第二ガイド手段７３をフリーローラで構成してもよい。但し、ガイド手段をフリーローラで構成すると、第一デカール部６のようにガイド手段６３の上流側及び下流側に別のガイドを設ける必要があるため、第二デカール部７のようにガイド手段をガイドプレートで構成することが好ましい。
【００８７】
上記実施形態において、第一デカール部６の第一上流側ローラ対６０として方向変換部５のターンローラ５０及び圧着ローラ５２ｂを兼用するようにしたが、これに限定されるものではなく、例えば、第二デカール部７と同様に、方向変換部５の下流側に独立した第一上流側ローラ対を設けるようにしても勿論よい。また、第二デカール部７については、方向変換部５のターンローラ５０と圧着ローラ５２ｂとを第二上流側ローラ対７０として兼用するようにしてもよい。但し、方向変換部５のターンローラ５０と圧着ローラ５２ｂとを上流側ローラ対とするには、印画紙Ｐをデカールローラとガイド手段との間に向けて送り出せるように圧着ローラ５２ｂが配置できる場合に限られることは言うまでもない。
【００８８】
上記実施形態において、第一デカール部６及び第二デカール部７の何れも、定位置にあるガイド手段６３，７３に対してデカールローラ６２，７２を接離させるように構成したが、これに限定されるものではなく、例えば、デカールローラを定位置に配置し、該デカールローラに対してガイド手段が接離するように構成したり、デカールローラ及びガイド手段の両方が互いに接離するように構成したりしてもよい。すなわち、デカールローラ及びガイド手段を相対的に接離可能に構成し、上流側ローラ対からの印画紙がデカールローラとガイド手段との間に進入する際に相対的に離間し、該印画紙がデカールローラとガイド手段との間を通過すると相対的に接近してデカールローラが印画紙に当接するように構成されればよい。このようにすれば、印画紙Ｐがデカールローラとガイド手段との間に進入する際に、これらの間隔が広がっているため、該間隔に印画紙Ｐを円滑に進入させることができる。
【００８９】
上記実施形態において、印画紙Ｐの仕様及び乾燥処理の条件を基に、デカールローラのデカール位置Ａ１，Ａ２…，Ａ１’，Ａ２’…を適宜変更するようにしたが、これに限定されるものではなく、例えば、印画紙Ｐの曲げ癖を矯正するデカール位置を一カ所（定位置）に設定するようにしてもよい。但し、適正な曲げ癖の矯正を行うには、印画紙（曲げ癖）に応じてデカール位置（巻き掛け量）を変更することが好ましいことは言うまでもない。
【００９０】
上記実施形態において、上流側ローラ対６０，７０と排出ローラ対６１，７１とに跨る印画紙Ｐに必要以上のテンションが作用したときに、デカールローラ６２，７２が待避するようにしたが、これに限定されるものではなく、曲げ癖の矯正時にデカールローラ６２，７２がデカール位置で固定的に回転するようにしてもよい。但し、印画紙に対するダメージを考慮すれば、デカールローラ６２，７２が印画紙Ｐに作用するテンションに応じて待避（変移）するようにすることが好ましい。
【図面の簡単な説明】
【００９１】
【図１】本発明の一実施形態にかかる写真処理装置の全体斜視図を示す。
【図２】同実施形態に係る写真処理装置の概略構成図を示す。
【図３】同実施形態に係る写真処理装置の部分拡大図であって、乾燥処理部の一部を含んだ方向変換部及びデカール部の部分拡大図を示す。
【図４】同実施形態に係る写真処理装置の第一デカール部の拡大図を示す。
【図５】同実施形態に係る写真処理装置の第一デカール部の動作説明図を示す。
【図６】同実施形態に係る写真処理装置の第二デカール部の拡大図を示す。
【図７】同実施形態に係る写真処理装置の第二デカール部の動作説明図を示す。
【符号の説明】
【００９２】
１…操作部、２…露光処理部、３…現像処理部、４…乾燥処理部、５…方向変換部、６…第一デカール部（デカール部）、７…第二デカール部（デカール部）、８…回収部、９…切換機構、１０…モニター、１１…入力装置、１２…読込装置、２０…各マガジン、２１…切断装置、２２…露光ヘッド、２３…搬送系、３０…現像処理槽、３１…現像処理搬送系、４０…乾燥処理搬送系、４１…乾燥装置、５０…ターンローラ、５１…方向変換ガイド、５２ａ，５２ｂ…圧着ローラ、６０…第一上流側ローラ対（上流側ローラ対）、６０ａ，６０ｂ…ローラ、６１…第一排出ローラ対（排出ローラ対）、６２…第一デカールローラ（デカールローラ）、６３…第一ガイド手段（ガイド手段）、６４…第一位置変更手段、６５…第一回転アーム、６６…第一付勢手段、６７…第一カム体、７０…第二上流側ローラ対（上流側ローラ対）、９１，９５…ガイドプレート、７０ａ，７０ｂ…ローラ、７１…第二排出ローラ対（排出ローラ対）、７１ａ，７１ｂ…ローラ、７２…第二デカールローラ（デカールローラ）、７３…第二ガイド手段（ガイド手段）、７４…第二位置変更手段、７５…第二回転アーム、７６…第二付勢手段、７７…第二カム体、８０…仕分回収部、８１…トレー、８２…コンベア、８３…仕分装置、９０…案内体、９１…第一ガイドプレート、９１ａ…第一搬送経路案内面、９２…第二ガイドプレート、９２ａ…第二搬送経路案内面、２１０…カッター、２２０…光源、２２１…光ファイバー束、２２２…光シャッター、４１０…ダクト、４１１…熱風発生装置、６５０…第一アーム部、６５１…第一連結部、６５２…軸部、６５３…軸穴、６５４…第一軸付勢手段、７５０…第二アーム部、７５２…軸部、７５３…軸穴、７５４…第二軸付勢手段、Ａ１，Ａ２…デカール位置、Ｂ…待避位置、Ｄ１…第一排出口（排出口）、Ｄ２…第二排出口（排出口）、Ｐ…印画紙、Ｒ１…第一搬送経路（搬送経路）、Ｒ２…第二搬送経路（搬送経路）、Ｘ…第一状態、Ｙ…第二状態
【図１】
2008050086.tif 000003
【図２】
2008050086.tif 000004
【図３】
2008050086.tif 000005
【図４】
2008050086.tif 000006
【図５】
2008050086.tif 000007
【図６】
2008050086.tif 000008
【図７】
2008050086.tif 000009